(57)【要約】【課題】  取り付け部材を通じて互いに取り付けられる２つ又は２つよりも多いスライドレールを有するスライドレールアセンブリを提供すること。【解決手段】  スライドレールアセンブリは第１のレール、第２のレール、取り付け部材、第３のレール、第４のレール及び係合部材を含む。取り付け部材は第１の部分、第２の部分及び第３の部分を含む。第１の部分及び該第２の部分は第３の部分に接続されるとともにそれぞれ異なる方向に沿って延びる。第３のレールは取り付け部材の第１の部分に接続され、第３のレールは第１のレールに対して可動である。第４のレールは取り付け部材の第２の部分に接続され、第２のレールは第４のレールに対して可動である。係合部材は取り付け部材に可動に取り付けられる。係合部材は、取り付け部材が所定の方向に沿って第２のレールと同期的に動くことができるようにするよう構成されている。【選択図】  図２
2019118792.tif 000002
【特許請求の範囲】
【請求項１】
第１のレールと、
第２のレールと、
第１の部分、第２の部分及び第３の部分を含む取り付け部材であって、該第１の部分及び該第２の部分は該第３の部分に接続されるとともにそれぞれ異なる方向に沿って延びる、取り付け部材と、
前記取り付け部材の第１の部分に接続される第３のレールであって、該第３のレールは前記第１のレールに対して可動である、第３のレールと、
前記取り付け部材の第２の部分に接続される第４のレールであって、前記第２のレールは該第４のレールに対して可動である、第４のレールと、
前記取り付け部材に可動に取り付けられる係合部材と、
前記係合部材に弾性力を提供するように構成された弾性部材と、
を含むスライドレールアセンブリであって、
前記第２のレールが引っ込め位置から第１の所定の位置に第１の方向に沿って動かされると、前記係合部材は、前記弾性部材の弾性力に反応して前記第２のレールと係合し、それにより前記取り付け部材は前記第１の方向に沿って前記第２のレールと同期的に動くことができる、スライドレールアセンブリ。
【請求項２】
前記第４のレールは第１の壁、第２の壁及び該第１の壁と該第２の壁との間に接続される側壁を含み、前記第２のレールは第１の壁、第２の壁及び該第１の壁と該第２の壁との間に接続される側壁を含み、
前記係合部材は前記取り付け部材に枢結され、
前記第４のレールの第１の壁及び第２の壁の一方は切り欠きを有し、該切り欠きは前記係合部材の係合部を挿入できるように構成され、
前記第２のレールの第１の壁及び第２の壁の一方は当接部を有し、
前記第２のレールが前記第１の所定の位置に位置する場合、前記係合部材の係合部は、前記第２のレールが前記取り付け部を駆動して前記当接部を通じて前記第１の方向に沿って動くように前記当接部と接触し、
前記スライドレールアセンブリは前記第１のレールに配置される作用部材をさらに含み、
前記第２のレールが前記第１の所定の位置から第２の所定の位置に前記第１の方向に沿って動かされると、前記係合部材は前記作用部材によって動かされて、前記取り付け部材が前記第２のレールともはや同期的に移動しないように前記係合部材の係合部を前記当接部から外す、請求項１に記載のスライドレールアセンブリ。
【請求項３】
前記第１の部分及び前記第２の部分は前記第３の部分に実質的に垂直に接続され、
前記取り付け部材は第１の側及び第２の側を有し、
前記第３のレールは取り付け部材の第１の部分に接続されるとともに前記取り付け部材の第１の側に位置し、前記第４のレールは前記取り付け部材の第２の部分に接続されるとともに前記取り付け部材の第２の側に位置し、前記第１の側は前記第２の側の反対側である、請求項２に記載のスライドレールアセンブリ。
【請求項４】
前記第１のレールは第１の壁、第２の壁及び前記第１のレールの第１の壁と第２の壁との間に接続される側壁を含み、該第１の壁、該第２の壁及び該側壁によって第１の通路が定義され、前記第３のレールは前記第１の通路を通じて前記第１のレールに対して可動であり、
前記第３のレールは第１の壁、第２の壁及び前記第３のレールの第１の壁と第２の壁との間に接続される側壁を含み、前記第３のレールの側壁は前記取り付け部材の第１の部分に接続され、前記第３のレールの第１の壁及び第２の壁は前記第１の通路内に位置する、請求項３に記載のスライドレールアセンブリ。
【請求項５】
前記第１のレールと前記第３のレールとの間に可動に取り付けられる第１の摺動支援装置及び前記第４のレールと前記第２のレールとの間に可動に取り付けられる第２の摺動支援装置をさらに含み、
前記第１の摺動支援装置は、前記第１のレールの第１の壁と前記第３のレールの第１の壁との間で支持されるように構成されるとともに前記第１のレールの第２の壁と前記第３のレールの第２の壁との間で支持されるように構成された複数の摺動支援部材を含み、前記第２の摺動支援装置は、前記第２のレールの第１の壁と前記第４のレールの第１の壁との間で支持されるように構成されるとともに前記第２のレールの第２の壁と前記第４のレールの第２の壁との間で支持されるように構成された複数の摺動支援部材を含む、請求項４に記載のスライドレールアセンブリ。
【請求項６】
前記第４のレールの側壁は前記取り付け部材の第２の部分に接続され、前記第４のレールの第１の壁、第２の壁及び側壁により第２の通路が定義され、前記第２のレールは該第２の通路を通じて前記第４のレールに対して可動であり、
前記第２のレールの第１の壁及び第２の壁は前記第２の通路内に位置する、請求項５に記載のスライドレールアセンブリ。
【請求項７】
前記第１のレールの第１の壁及び第２の壁の一方は位置決め部を有し、
前記取り付け部材が前記第１の方向に沿って第３の所定の位置に動かされると、前記係合部材は、前記取り付け部材が前記第１のレールに対して前記第１の方向又は第２の方向に動くのを防止するために前記弾性部材の弾性力に反応して前記第１のレールの位置決め部と係合する、請求項５に記載のスライドレールアセンブリ。
【請求項８】
前記第１のレールに配置される緩衝部材及び前記第３のレールに配置される接触部材をさらに含み、
前記取り付け部材が前記第１の方向に沿って所定の距離動かされると、前記接触部材は緩衝効果を提供するために前記緩衝部材と接触し、
第１のブロックベースが前記第１のレールの前部に隣接して配置され、前記スライドレールアセンブリは保持ベースをさらに含み、
前記緩衝部材は前記第１のブロックベースと前記保持ベースとの間に取り付けられる、請求項５に記載のスライドレールアセンブリ。
【請求項９】
第２のブロックベースが前記第４のレールの前部に隣接して配置され、ブロック部材が前記第２のレールに可動に接続され、
前記第２のレールが前記第４のレールに対して前記第１の方向に沿って開位置に動かされると、前記ブロック部材は、前記第２のレールが前記第１の方向に沿ってさらに動くのを防止するためにブロック位置で前記第２のブロックベースのブロック部と接触するように構成され、
操作部材は前記ブロック部材がもはや前記ブロック位置にないように動かすように操作されるように構成され、
前記第２のレールが前記開位置から所定の引っ込め位置に前記第２の方向に沿って動かされると、前記第２のレールは、前記係合部材を前記第１のレールの位置決め部から外すように前記係合部材を駆動して動かすように構成されている、請求項８に記載のスライドレールアセンブリ。
【請求項１０】
第１のレールと、
第２のレールと、
第１の部分、第２の部分及び第３の部分を含む取り付け部材であって、該第１の部分及び該第２の部分は該第３の部分に実質的に垂直に接続されるとともにそれぞれ異なる方向に沿って延びる、取り付け部材と、
前記取り付け部材の第１の部分に接続される第３のレールであって、該第３のレールは前記第１のレールに対して可動である、第３のレールと、
前記取り付け部材の第２の部分に接続される第４のレールであって、前記第２のレールは該第４のレールに対して可動である、第４のレールと、
前記取り付け部材に配置される係合部材であって、該係合部材は前記取り付け部材が前記第２のレールと同期的に第１の方向に沿って動くことができるように前記第２のレールと係合するように構成されている、スライドレールアセンブリ。
【発明の詳細な説明】
【技術分野】
【０００１】
本発明はスライドレールに関し、より具体的には２つ又は２つよりも多いスライドレールを有するスライドレールアセンブリに関する。
【背景技術】
【０００２】
図１に示すように、ラックシステム１００においては、引き出し、電子機器のシャーシ等の保持物体１０２はラックに取り付けられるように両側にスライドレールアセンブリ１０４が設けられる。通常、ラックは、スライドレールアセンブリ１０４を取り付けるために一対の前側ポスト１０６及び一対の後ろ側ポスト（図示せず）等の複数のポストを有する。
【０００３】
さらに、ラックの一対の前側ポスト１０６の間に定義される第１の幅Ｗ１は一般に標準的な仕様を満たす。他方、両側にあるスライドレールアセンブリ１０４の幅（第２の幅Ｗ２等）及び保持物体１０２の幅（第３の幅Ｗ３）等を含む全体的な幅はラックの第１の幅Ｗ１に対応しなければならない。しかしながら、保持物体１０２は様々な市場の要求により異なる幅を有し得る（即ち、保持物体１０２の幅は第３の幅Ｗ３と等しくない場合がある）。即ち、スライドレールアセンブリ１０４及び保持物体１０２の幅全体を第１の幅Ｗ１に合致させるためにスライドレールアセンブリ１０４の幅を変える必要がある。したがって、市場が幅のより広い保持物体１０２を必要とする場合（即ち、スライドレールアセンブリ１０４の幅はより小さくなければならない）、幅が限られているものの構造強度又は支持強度が改善されたスライドレールアセンブリを開発することが重要である。
【発明の概要】
【発明が解決しようとする課題】
【０００４】
本発明は、取り付け部材を通じて互いに取り付けられる２つ又は２つよりも多いスライドレールを有するスライドレールアセンブリに関する。
【課題を解決するための手段】
【０００５】
本発明の一実施形態によれば、スライドレールアセンブリは第１のレール、第２のレール、取り付け部材、第３のレール、第４のレール、係合部材及び弾性部材を含む。取り付け部材は第１の部分、第２の部分及び第３の部分を含む。第１の部分及び第２の部分は第３の部分に接続されるとともにそれぞれ異なる方向に沿って延びる。第３のレールは取り付け部材の第１の部分に接続され、第３のレールは第１のレールに対して可動である。第４のレールは取り付け部材の第２の部分に接続され、第２のレールは第４のレールに対して可動である。係合部材は取り付け部材に可動に取り付けられる。弾性部材は係合部材に弾性力を提供するように構成されている。第２のレールが引っ込め位置から第１の所定の位置に第１の方向に沿って動かされると、係合部材は、弾性部材の弾性力に反応して第２のレールと係合し、それにより取り付け部材は第１の方向に沿って第２のレールと同期的に動くことができる。
【０００６】
本発明の別の実施形態によれば、スライドレールアセンブリは第１のレール、第２のレール、取り付け部材、第３のレール、第４のレール及び係合部材を含む。取り付け部材は第１の部分、第２の部分及び第３の部分を含む。第１の部分及び第２の部分は第３の部分に実質的に垂直に接続されるとともにそれぞれ異なる方向に沿って延びる。第３のレールは取り付け部材の第１の部分に接続され、第３のレールは第１のレールに対して可動である。第４のレールは  前記取り付け部材の第２の部分に接続され、第２のレールは第４のレールに対して可動である。係合部材は取り付け部材に配置される。係合部材は取り付け部材が第２のレールと同期的に第１の方向に沿って動くことができるように第２のレールと係合するように構成されている。
【０００７】
様々な図面に図示する下記の好ましい実施形態の詳細な説明を読み終えた後、本発明の上記の目的及び他の目的が当業者に間違いなく明らかになる。
【図面の簡単な説明】
【０００８】
【図１】図１は、先行技術のラックシステムを示す図である。
【図２】図２は、本発明の一実施形態に係るスライドレールアセンブリを示す図である。
【図３】図３は、本発明の一実施形態に係るスライドレールアセンブリの分解図である。
【図４】図４は、図３の領域Ａの拡大図である。
【図５】図５は、本発明の一実施形態に係るスライドレールアセンブリの断面図である。
【図６】図６は、本発明の一実施形態に係る、引っ込められた状態にあるスライドレールアセンブリを示す図である。
【図７】図７は、図６の領域Ａの拡大図である。
【図８】図８は、図６の領域Ｂの拡大図である。
【図９】図９は、本発明の一実施形態に係る、第２のレールが第１の方向に沿って第１の所定の位置に動かされた場合に係合部材を通じて取り付け部材と共に同期的に動かされるスライドレールアセンブリの第２のレールを示す図である。
【図１０】図１０は、図９の領域Ａの拡大図である。
【図１１】図１１は、本発明の一実施形態に係る、スライドレールアセンブリの第２のレール及び取り付け部材が第１の方向に沿って第２の所定の位置に動かされるプロセスの間に係合部材と接触する、第１のレール上の作用部材を示す図である。
【図１２】図１２は、本発明の一実施形態に係る、スライドレールアセンブリの第２のレール及び取り付け部材が第１の方向に沿って第２の所定の位置に動かされた場合に、作用部材によって第２のレールと非同期された取り付け部材を示す図である。
【図１３】図１３は、本発明の一実施形態に係る、スライドレールアセンブリの取り付け部材が第１の方向に沿って第３の所定の位置に動かされるプロセスの間に係合部材と接触する作用部材を示す図である。
【図１４】図１４は、本発明の一実施形態に係る、スライドレールアセンブリの取り付け部材が第１の方向に沿って第３の所定の位置に動かされた場合に第１のレールの位置決め部と係合する係合部材を示す図である。
【図１５】図１５は、本発明の一実施形態に係る、第２のレールが第１の方向に沿って所定の位置に動かされた場合に接触部材を通じて緩衝部材と接触する取り付け部材を示す図である。
【図１６】図１６は、図１５の領域Ａの拡大図である。
【図１７】図１７は、本発明の一実施形態に係る、第２のレールが第１の方向に沿って開位置に動かされた場合に接触部材を通じて緩衝部材とさらに接触する取り付け部材を示す図である。
【図１８】図１８は、図１７は領域Ａの拡大図である。
【図１９】図１９は、本発明の一実施形態に係る、開位置に位置する第２のレールを示す図である。
【図２０】図２０は、本発明の一実施形態に係る、スライドレールアセンブリの第２のレールが第２の方向に沿って開位置に動かされるプロセスの間に係合部材と接触する第２のレールを示す図である。
【図２１】図２１は、本発明の一実施形態に係る、スライドレールアセンブリの第２のレールが第２の方向に沿ってさらに動かされるプロセスの間に第１のレールの位置決め部から外れるように第２のレールによって駆動された係合部材を示す図である。
【図２２】図２２は本発明のラックシステムを示す図である。
【発明を実施するための形態】
【０００９】
図２に示すように、本発明のスライドレールアセンブリ２０は第１のレール２２、第２のレール２４、第３のレール２６、第４のレール２８及び取り付け部材３０を含む。
【００１０】
図３〜図５に示すように、第１のレール２２及び第２のレール２４は異なる高さで配置されるように、第１のレール２２及び第２のレール２４は上下に配置されるとともに互いに平行である。本実施形態では（図４を参照されたい）、第１のレール２２は第２のレール２４の上に配置される。しかしながら、代替的な実施形態では、第２のレール２４は第１のレール２２の上に配置できる。本発明は係る構成に限定されない。第３のレール２６及び第４のレール２８は取り付け部材３０の第１の部分４４ａ及び第２の部分４４ｂにそれぞれ固定接続される。第３のレール２６は第１のレール２２に対して可動であり、第２のレール２４は第４のレール２８に対して可動である。
【００１１】
第１のレール２２は第１の壁３２ａ、第２の壁３２ｂ及び第１の壁３２ａと第２の壁３２ｂとの間に接続される側壁３４を含む。第１の壁３２ａ、第２の壁３２ｂ及び側壁３４によって第１の通路３６が定義される。第１のレール２２は前部２２ａ及び後部２２ｂを有する。
【００１２】
取り付け部材３０はＮ字状に構成されている。取り付け部材３０の第１の部分４４ａ及び第２の部分４４ｂはそれぞれ上部及び下部として配置される。取り付け部材３０は第３の部分４４ｃをさらに含むことが好ましい。本実施形態では、第３の部分４４ｃは実質帝に水平な部分であるが、本発明は係る構成に限定されない。第１の部分４４ａ及び第２の部分４４ｂは第３の部分４４ｃの２つの部分に実質的に垂直に接続され、それぞれ異なる方向に沿って延びる。例えば、第１の部分４４ａは上方に延び、第２の部分４４ｂは下方に延びる。
【００１３】
第３のレール２６は取り付け部材３０の第１の部分４４ａに接続されるとともに取り付け部材３０の第１の側Ｌ１に位置する。第３のレール２６は第１の通路３６を通じて第３のレール２６に対して可動である。第３のレール２６は第１の壁４６ａ、第２の壁４６ｂ及び第３のレール２６の第１の壁４６ａと第２の壁４６ｂとの間に接続される側壁４８を含む。第３のレール２６の側壁４８は取り付け部材３０の第１の部分４４ａに接続される。第３のレール２６の第１の壁４６ａ及び第２の壁４６ｂは第１の通路３６内に位置する。スライドレールアセンブリ２０は、第１のレール２２と第３のレール２６との間に可動に取り付けられる第１の摺動支援装置５０をさらに含むことが好ましい。第１の摺動支援装置５０は複数の摺動支援部材、例えば第１の摺動支援部材５０ａ及び第２の摺動支援部材５０ｂを含む。第１の摺動支援部材５０ａ及び第２の摺動支援部材５０ｂはボール、ローラ等であり得る。第１の摺動支援部材５０ａは第１のレール２２の第１の壁３２ａと第３のレール２６の第１の壁４６ａとの間で支持されるように構成されている。第２の摺動支援部材５０ｂは第１のレール２２の第２の壁３２ｂと第３のレール２６の第２の壁４６ｂとの間で支持されるように構成されている。第１のレール２２の第１の壁３２ａは第１の区画Ｓ１と、第１の区画Ｓ１に対して屈曲した第２の区画Ｓ２とを有し、第１のレール２２の第２の壁３２ｂは第３の区画Ｓ３と、第３の区画Ｓ３に対して屈曲した第４の区画Ｓ２とを有する。そのような構成によれば、第１のレール２２の構造強度又は支持強度を改善することができる。
【００１４】
第４のレール２８は取り付け部材３０の第２の部分４４ｂに接続されるとともに取り付け部材３０の第２の側Ｌ１に位置する。第２の側Ｌ２は第１の側Ｌ１の反対側である。第４のレール２８は第１の壁５２ａ、第２の壁５２ｂ及び第４のレール２８の第１の壁５２ａと第２の壁５２ｂとの間に接続される側壁５４を含む。第４のレール２８の第１の壁５２ａ、第２の壁５２ｂ及び側壁５４により第２の通路５６が定義される。第２のレール２４は第２の通路５６を通じて第４のレール２８に対して可動である。
【００１５】
第２のレール２４は第１の壁５８ａ、第２の壁５８ｂ及び第２のレール２４の第１の壁５８ａと第２の壁５８ｂとの間に接続される側壁６０を含む。第２のレール２４の第１の壁５８ａ及び第２の壁５８ｂは第２の通路５６内に位置する。スライドレールアセンブリ２０は、第４のレール２８と第２のレール２４との間に可動に取り付けられる第２の摺動支援装置６２をさらに含むことが好ましい。第２の摺動支援装置６２は複数の摺動支援部材、例えば第１の摺動支援部材６２ａ及び第２の摺動支援部材６２ｂを含む。第１の摺動支援部材６２ａ及び第２の摺動支援部材６２ｂはボール、ローラ等であり得る。第１の摺動支援部材６２ａは第２のレール２４の第１の壁５８ａと第４のレール２８の第１の壁５２ａとの間で支持されるように構成され、第２の摺動支援部材６２ｂは第２のレール２４の第２の壁５８ｂと第４のレール２８の第２の壁５２ｂとの間で支持されるように構成されている。
【００１６】
図３、図６及び図７に示すように、スライドレールアセンブリ２０は係合部材６４及び弾性部材６６をさらに含むことが好ましい。係合部材６４は取り付け部材３０に可動に取り付けられている。本実施形態では、係合部材６４はシャフト部材６７を通じて取り付け部材３０に対して枢結されている。弾性部材６６は係合部材６４に弾性力を提供するために弾性部６５を有する（図４も参照のこと）。さらに、第４のレール２８の第１の壁５２ａ及び第２の壁５２ｂの一方は孔又は切り欠き６８を有する。切り欠き６８は、係合部材６４の第１の係合部７０を挿入できるように構成されている。係合部材６４は第２の係合部７１をさらに有することが好ましい。シャフト部材６７は第１の係合部７０と第２の係合部７１との間に位置する。弾性部材６６の弾性部６５は第２の係合部７１に隣接する係合部材６４の一部に対して当接することが好ましい。第２のレール２４の第１の壁５８ａ及び第２の壁５８ｂの一方は当接部７２を有する。本実施形態では、第２のレール２４は、係合部材６４の第１の係合部７０を収容するための空間Ｈ（孔、溝又は切り欠き等）を有し、当接部７２は空間Ｈの周りの壁である。
【００１７】
図３及び図６に示すように、スライドレールアセンブリ２０は第１のレール２２に配置される作用部材（working  member）７４をさらに含むことが好ましい。本実施形態では、作用部材７４は第１のレール２２の第２の壁３２ｂに接続されている。作用部材７４は係合部材６４と協働するように構成されている。
【００１８】
図３及び図６に示すように、第１のレール２２の第１の壁３２ａ及び第２の壁３２ｂの一方は位置決め部７６を有することが好ましい。位置決め部７６は溝、孔又は切り欠きであり得る。
【００１９】
図３及び図６に示すように、スライドレールアセンブリ２０は第１のレール２２に配置される緩衝部材３８をさらに含むことが好ましい。本実施形態では、緩衝部材３８は第１のレール２２の前部２２ａに隣接して配置され（図８も参照されたい）、緩衝部材３８は柔らかいプラスチック材料製のソフトパッドであり得るが、本発明は係る構成に限定されない。第１のブロックベース４０及び保持ベース４２は第１のレール２２の前部２２ａに隣接して配置される。緩衝部材３８は第１のブロックベース４０と保持ベース４２との間に取り付けられる。緩衝部材３８は第１のブロックベース４０のブロック壁４１に対応する位置に位置する。ブロック壁４１は緩衝部材３８に対して当接するように構成されている。
【００２０】
図３及び図６に示すように、スライドレールアセンブリ２０は第３のレール２６に配置される少なくとも１つの接触部材７８をさらに含むことが好ましい。接触部材７８は緩衝部材３８と協働するように構成されている。接触部材７８は第３のレール２６に接続される独立した部品であってもよいし、接触部材７８は第３のレール２６に一体形成することもできる。本実施形態では、接触部材７８は第３のレール２６の側壁４８から突出する突起であるが、本発明は係る構成に限定されない。
【００２１】
図３及び図６に示すように、第２のブロックベース８０は第４のレール２８の前部２８ａに隣接して配置され、ブロック部材８２は第２のレール２４の側壁６０に可動に接続（例えば枢結）される。弾性ベース８３はブロック部材８２に弾性力を提供するように構成され、操作部材８４はブロック部材８２を偏向するために操作されるよう構成されている。
【００２２】
図６及び図７に示すように、第２のレール２４は引っ込め位置（retracted  position）Ｒに位置する。係合部材６４の第１の係合部７０は、弾性部材６６（又は弾性部材６６の弾性部６５）が弾性力を蓄積するように第４のレール２８の切り欠き６８を通じて第２のレール２４の第１の壁５８ａに対して当接する。
【００２３】
図９及び図１０に示すように、第２のレール２４が引っ込め位置Ｒから第１の所定の位置Ｐ１に第１の方向Ｄ１に沿って動かされると、弾性部材６６（又は弾性部材６６の弾性部６５）から放たれる弾性力に反応して係合部材６４の第１の係合部７０は第２のレール２４の空間Ｈに入る。それにより、取り付け部材３０、第３のレール２６及び第４のレール２８は第１の方向Ｄ１に沿って第２のレール２４と同期的に移動することができる。
【００２４】
図１１及び図１２に示すように、第２のレール２４が第１の所定の位置Ｐ１から第２の所定の位置Ｐ２に第１の方向Ｄ１に沿って動かされるプロセスの間、係合部材６４は作用部材７４と接触する。係合部材６４及び作用部材７４の一方は、係合部材６４をガイドして動かすために傾斜面又は弧面等のガイド部８６を含むことが好ましい。第２のレール２４が第２の所定の位置Ｐ２に動かされると、係合部材６４は、弾性部材６６（又は弾性部材６６の弾性部６５）が弾性力を蓄積できるように作用部材７４によって偏向される。係合部材６４の第１の係合部７０は第２のレール２４の当接部７２から外れるため、取り付け部材３０は第２のレール２４ともはや同期的に移動しない。即ち、第２のレール２４は第１のレール２２に対して第１の方向Ｄ１に沿って独立して動かすことができる。
【００２５】
図１３及び図１４に示すように、取り付け部材３０、第３のレール２６及び第４のレール２８が第１のレール２２に対して第１の方向Ｄ１に沿って第３の所定の位置Ｐ３等の所定の位置に動かされると、係合部材６４は、第２の係合部７１を通じて第１のレール２２の位置決め部７６と係合するように弾性部材６６（又は弾性部材６６の弾性部６５）から放たれた弾性力によって偏向される。その間、係合部材６４の第１の係合部７０は、取り付け部材３０が第１のレール２２に対して第１の方向Ｄ１に沿って又は第１の方向Ｄ１とは反対の第２の方向Ｄ２に沿って動くのを防止するために第４のレール２８の切り欠き６８内に位置する。作用部材７４は、傾斜面又は弧面等のガイド部７５を有することが好ましい。ガイド部７５との接触を通じて、係合部材６４は第２の係合部７１が第１のレール２２の位置決め部７６と係合するようにガイドすることができる。その間、取り付け部材３０、第３のレール２６及び第４のレール２８は第１のレール２２に対して開いた状態にあるか又は伸長した状態にある。
【００２６】
図１５〜図１８に示すように、取り付け部材３０が開いた状態にある場合、第２のレール２４は第４のレール２８に対して第１の方向Ｄ１に沿って開位置Ｐ４に動かすことができ、ブロック部材８２は、第２のレール２４が第１の方向Ｄ１に沿ってさらに動くのを防止するためにブロック位置Ｘ１で第２のブロックベース８０のブロック部８１と接触できる。第２のレール２４が引き出されて第１の方向Ｄ１に沿って高速で動かされると、ブロック部材８２と第２のブロックベース８０のブロック部８１との間の衝撃力は強くなる。したがって、接触部材７８は緩衝力を提供して衝撃の騒音を低減するために緩衝部材３８と接触するように構成されている。本実施形態では、接触部材７８は、保持ベース４２を通じて緩衝部材３８の第１の端部３８ａと接触するように構成され、緩衝部材３８の第２の端部３８ｂは、取り付け部材３０又はスライドレールの関連部品を保護できるよう、（図１７に示すように）緩衝効果を提供するために第１のブロックベース４０のブロック壁４１に対して当接するように構成されている。保持ベース４２は第１のレール２２に可動に取り付けられることが好ましい。例えば、保持ベース４２はそれぞれが第１のレール２２の細長い溝２７（又は細長い孔）２７内に延びる２つの支持脚部４２ａを有する。したがって、保持ベース４２は、緩衝部材３８が第１のブロックベース４０のブロック壁４１に対して当接して緩衝効果を提供できるよう緩衝部材３８を押すために接触部材７８により僅かに駆動させることができる。しかしながら、代替的な実施形態では、接触部材７８は緩衝部材３８を直接押すことができる。そのような構成も緩衝効果を提供し、スライドレールの関連部品を保護することができる。
【００２７】
図１９に示すように、取り付け部材３０、第３のレール２６及び第４のレール２８が開いた状態にある場合、第２のレール２４は第４のレール２８に対して第１の方向Ｄ１に沿って開位置Ｐ４に動かすことができる。加えて、ユーザーが力Ｆを操作部材８４に加えると、操作部材８４の係合解除部８４ａはブロック部材８２がブロック位置Ｘ１にもはや位置しないようにさらに動かす（例えば、ブロック部材８２は非ブロック位置Ｘ２に位置する）。そのため、ブロック部材８２は第２のブロックベース８０のブロック部８１ともはや接触せずに第２のレール２４が第１の方向Ｄ１に沿ってさらに動かすことができるようにして第４のレール２８から外れる。あるいは、第２のレール２４が開位置Ｐ４に位置する場合、ユーザーは第２のレール２４を開位置Ｐ４から第２の方向Ｄ２に沿って引っ込めることができる。
【００２８】
図２０及び図２１に示すように、第２のレール２４が開位置Ｐ４から所定の引っ込め位置Ｐ５に第２の方向Ｄ２に沿って動かされると、第２のレール２４は係合部材６４を駆動して偏向させるように構成されている。そのため、弾性部材６６（弾性部材６６の弾性部６５）は弾性力を蓄積し、係合部材６４の第２の係合部７１は第１のレール２２の位置決め部７６ともはや係合状態にない。即ち、取り付け部材３０は第２のレール２４、取り付け部材３０、第３のレール２６及び第４のレール２８を第１のレール２２に対して第２の方向Ｄ２に沿って引っ込めることができるように第１のレール２２に対して第２の方向Ｄ２に沿って動かすことができる。
【００２９】
図２０及び図２１に示すように、第２のレール２４が開位置Ｐ４から所定の引っ込め位置Ｐ５に第２の方向Ｄ２に沿って動かされると、第２のレール２４は係合部材６４を駆動して偏向するように構成されている。そのため、弾性部材６６（又は弾性部材６６の弾性部６５）は弾性力を蓄積して、係合部材６４の第２の係合部７１は第１のレール２２の位置決め部７６ともはや係合しない。即ち、取り付け部材３０は第２のレール２４、取り付け部材３０、第３のレール２６及び第４のレール２８が第２の方向Ｄ２に沿って第１のレール２２に引っ込めることができるように第１のレール２２に対して第２の方向Ｄ２に沿って可動である。
【００３０】
図２２に示すように、保持物体８８の両側は一対のスライドレールアセンブリ２０を通じてラックの第１のポスト９０Ａ及び第２のポスト９０ｂに取り付けることができる。第１のポスト９０Ａと第２のポスト９０ｂとの間に第１の幅Ｙ１が定義される。ラックの第１の幅Ｙ１は、先行技術のラックの第１の幅Ｗ１と実質的に等しい（図１を参照されたい）。加えて、図２２は簡略化のためにスライドレールアセンブリ２０の第１のレール２２、第２のレール２４、取り付け部材３０、第３のレール２６及び第４のレール２８をのみを示す。
【００３１】
さらに、本発明の保持物体８８は（図１に示すように）先行技術の保持物体１０２の第３の幅Ｗ３よりも大きい第３の幅Ｙ３を有する。そのため、本発明のスライドレールアセンブリ２０の幅（第２の幅Ｙ２）は先行技術のスライドレールアセンブリ１０４の第２の幅Ｗ２よりも小さくなければならない。しかしながら、本発明の第３のレール２６及び第４のレール２８は、第１のレール２２及び第２のレール２４と協働するために取り付け部材３０の２つの異なる部分にそれぞれ接続されているため、スライドレールアセンブリ２０の幅は限られているがスライドレールアセンブリ２０の構造強度又は支持強度を改善することができる。
【００３２】
したがって、本発明のスライドレールアセンブリは以下のように特徴付けることができる。
【００３３】
１）第３のレール２６は第１のレール２２に対して可動であり、第２のレール２４は第４のレール２８に対して可動であり、第１のレール２２及び第２のレール２４は第１のレール２２及び第２のレール２４が異なる高さで配置されるように上下に配置されるとともに互いに平行であるそのような配置は、同じ高さに配置される２つ又は２つよりも多いスライドレールを有する先行技術のスライドレールアセンブリとは異なる。本発明の第３のレール２６及び第４のレール２８は、第１のレール２２及び第２のレール２４と協働して幅の制限を満たすためにするために取り付け部材３０の２つの異なる部分（上部及び下部等）に接続される。そのため、スライドレールアセンブリ２０は２つより多いスライドレールを含むこと及びより小さい幅を有することができる。
【００３４】
２）第３のレール２６及び第４のレール２８は第１のレール２２及び第２のレール２４と協働するために取り付け部材３０の２つの異なる部分に接続されている。そのため、スライドレールアセンブリ２０の構造強度又は支持強度を改善することができる。
【００３５】
３）第２のレール２４が第１の方向Ｄ１に沿って所定の位置に動かされると、取り付け部材３０、第３のレール２６及び第４のレール２８は係合部材６４を通じて第２のレール２４と同期的に移動できる。
【００３６】
４）第２のレール２４が開位置（例えば完全に開く位置）に動かされた場合、接触部材７８はブロック位置Ｘ１にあるブロック部材８２が第２のブロックベース８０のブロック部８１と直接接触するか又はぶつかるのを防止するために緩衝部材３８と接触するように構成されている。
【００３７】
５）取り付け部材３０を第２のレール２４と同期的に動かすことに加えて、係合部材６４は取り付け部材３０が第１のレール２２に対して第１の方向Ｄ１又は第２の方向Ｄ２に沿って動くのを防止するために第１のレール２２と係合するようにも構成されている。
【００３８】
上述の好ましい実施形態を通じて本発明を開示してきたが、これらの実施形態は本発明の範囲を限定することを意図したものではないことが分かる。出願人が求める特許の保護範囲は添付の特許請求の範囲によって定義される。
【符号の説明】
【００３９】
２０  スライドレールアセンブリ
２２  第１のレール
２４  第２のレール
２６  第３のレール
２８  第４のレール
３０  取り付け部材
３２ａ  第１の壁
３２ｂ  第２の壁
３４  側壁
３６  第１の通路
３８  緩衝部材
４０  第１のブロックベース
４２  保持ベース
４４ａ  第１の部分
４４ｂ  第２の部分
４６ａ  第１の壁
４６ｂ  第２の壁
４８  側壁
５０  第１の摺動支援装置
５２ａ  第１の壁
５２ｂ  第２の壁
５４  側壁
５６  第２の通路
５８ａ  第１の壁
５８ｂ  第２の壁
６０  側壁
６２  第２の摺動支援装置
６４  係合部材
６６  弾性部材
６８  切り欠き
７０  第１の係合部
７２  当接部
７４  作用部材
７６  位置決め部
７８  接触部材
８０  第２のブロックベース
８２  ブロック部材
８４  操作部材
８６  ガイド部
【図１】
2019118792.tif 000003
【図２】
2019118792.tif 000004
【図３】
2019118792.tif 000005
【図４】
2019118792.tif 000006
【図５】
2019118792.tif 000007
【図６】
2019118792.tif 000008
【図７】
2019118792.tif 000009
【図８】
2019118792.tif 000010
【図９】
2019118792.tif 000011
【図１０】
2019118792.tif 000012
【図１１】
2019118792.tif 000013
【図１２】
2019118792.tif 000014
【図１３】
2019118792.tif 000015
【図１４】
2019118792.tif 000016
【図１５】
2019118792.tif 000017
【図１６】
2019118792.tif 000018
【図１７】
2019118792.tif 000019
【図１８】
2019118792.tif 000020
【図１９】
2019118792.tif 000021
【図２０】
2019118792.tif 000022
【図２１】
2019118792.tif 000023
【図２２】
2019118792.tif 000024